(57)【要約】【課題】小型化が可能なプロジェクタを提供することにある。【解決手段】光学系３で合成された画像光ＩＬの第１光軸Ｃ１を９０°反射させる全反射ミラー１０を備えている。また、全反射ミラー１０によって９０°反射されて第２光軸Ｃ２に沿って入射される画像光ＩＬを外部に出射する投写レンズ２０を備えており、その投写レンズ２０と第２光軸Ｃ２上に配設された全反射ミラー１０をヒンジＨを介して連結した。さらに、投写レンズ２０を第２光軸Ｃ２上で往復動させるための第１レールＲ１に、投写レンズ２０が摺動可能に支持され、全反射ミラー１０の一端が第２レールＲ２に係合して、投写レンズ２０の往復動に連動して第２レールＲ２に沿って摺動する。【選択図】図１
2007102095.tif 000002
【特許請求の範囲】
【請求項１】
光源装置を含む光学系から出射された画像光を、投写レンズによって外部に投写するプロジェクタにおいて、
前記光学系から出射される前記画像光を所定の角度に反射させ、その反射された画像光を前記投写レンズに入射させる反射板をさらに備え、
前記投写レンズは、同投写レンズの光軸上を往復動するようにしたことを特徴とするプロジェクタ。
【請求項２】
請求項１に記載のプロジェクタにおいて、
前記投写レンズが前記光軸上を往復動するための第１案内機構をさらに備えたことを特徴とするプロジェクタ。
【請求項３】
請求項１又は２に記載のプロジェクタにおいて、
前記投写レンズの移動とともに前記反射板が連動するように、前記投写レンズと前記反射板とを連結部材によって連結することを特徴とするプロジェクタ。
【請求項４】
請求項３に記載のプロジェクタにおいて、
前記反射板の一端に、前記反射板の一端を前記光軸と直交する方向に案内する第２案内機構をさらに備え、
前記投写レンズの前記光軸上での往復動と連動して、前記反射板が前記第２案内機構に沿って移動することを特徴とするプロジェクタ。
【請求項５】
請求項３又は４に記載のプロジェクタにおいて、
前記投写レンズ及び前記反射板のいずれか一方を駆動する駆動装置をさらに備えたことを特徴とするプロジェクタ。
【請求項６】
請求項１〜５のいずれか１つに記載のプロジェクタにおいて、
前記光源装置は、赤、緑、青の各色の光を出射させる半導体素子からなることを特徴とするプロジェクタ。
【請求項７】
請求項６に記載のプロジェクタにおいて、
前記半導体素子が、発光ダイオードであることを特徴とするプロジェクタ。
【請求項８】
撮像レンズと、前記撮像レンズを通して集光された光を画像信号に変換する撮像素子と、前記画像信号を記憶する記憶手段とを備えたデジタルカメラにおいて、
請求項１〜７のいずれか１つに記載のプロジェクタを搭載したことを特徴とするデジタルカメラ。
【発明の詳細な説明】
【技術分野】
【０００１】
本発明は、プロジェクタ及びデジタルカメラに関する。
【背景技術】
【０００２】
従来より、パーソナルコンピュータ等の機器から画像情報が入力され、光源装置から出射される光束をその画像情報に応じて変調して、投写レンズによってスクリーン等に画像を拡大投写するプロジェクタが知られている。
【０００３】
また、近年、カラー画像を表示するプロジェクタの光源装置として、発光ダイオード（以下単に、「ＬＥＤ」という。）等の半導体発光素子を用いることが検討されている。半導体発光素子は、光への変換効率が高いため消費電力が低く、発熱量が小さいという利点がある。さらに、半導体発光素子は、高圧水銀ランプ等の放電ランプに比べて小型であるため、プロジェクタ全体を小型化することができる。この種のプロジェクタとしては、各色の光を出射する複数のＬＥＤを独立に点灯させることによりカラー画像を表示する、いわゆる３板方式がよく知られている（特許文献１参照）。
【特許文献１】特開２００１−５１６５１号公報
【発明の開示】
【発明が解決しようとする課題】
【０００４】
ところで、特許文献１に記載のプロジェクタでは、放電ランプをＬＥＤ光源にすることによって光学系を小型化することができる。しかしながら、通常、プロジェクタでは、投写可能な焦点距離に合わせるために長い光路長が必要である。そのため、特許文献１に記載のプロジェクタでも、長い光路長を確保するために投写レンズを光学系から所定距離だけ離間させて配設していた。その結果、プロジェクタ全体の小型化が阻害されていた。
【０００５】
また、プロジェクタ全体の小型化が阻害されていたため、デジタルカメラ等の携帯機器にプロジェクタのような投写機能を付加することが困難であった。
本発明は、前述した上記問題点を解消するためになされたものであって、その目的は、小型化が可能なプロジェクタを提供することにある。
【０００６】
また、他の目的として、小型化が可能な投写機能付きのデジタルカメラを提供することにある。
【課題を解決するための手段】
【０００７】
本発明のプロジェクタは、光源装置を含む光学系から出射された画像光を、投写レンズによって外部に投写するプロジェクタにおいて、前記光学系から出射される前記画像光を所定の角度に反射させ、その反射された画像光を前記投写レンズに入射させる反射板をさらに備え、前記投写レンズは、同投写レンズの光軸上を往復動するようにした。
【０００８】
本発明のプロジェクタによれば、反射板によって、光学系から出射される画像光を反射させるようにした。また、反射板によって反射された画像光が入射される投写レンズをその光軸上で往復動させるようにした。これによって、投写レンズをプロジェクタケースの内方に移動させることができるため、光軸方向にプロジェクタを小型化することができる。
【０００９】
このプロジェクタにおいて、前記投写レンズが前記光軸上を往復動するための第１案内機構をさらに備えるようにしてもよい。
このプロジェクタによれば、投写レンズを、第１案内機構に沿って光軸上を往復動させるようにした。そのため、投写レンズをプロジェクタケースの内方へ移動させることができ、プロジェクタの小型化が可能になる。
【００１０】
このプロジェクタにおいて、前記投写レンズの移動とともに前記反射板が連動するように、前記投写レンズと前記反射板とを連結部材によって連結するようにしてもよい。
このプロジェクタによれば、光軸上に配設されている反射板が、投写レンズと連動して移動するため、投写レンズをプロジェクタケースのより内方へ移動させることができる。その結果、プロジェクタを小型化することができる。
【００１１】
このプロジェクタにおいて、前記反射板の一端に、前記反射板の一端を前記光軸と直交する方向に案内する第２案内機構をさらに備え、前記投写レンズの前記光軸上での往復動と連動して、前記反射板が前記第２案内機構に沿って移動するようにしてもよい。
【００１２】
このプロジェクタによれば、投写レンズの光軸上での往復動に連動して、反射板が第２案内機構によってその光軸と直交する方向に移動するようにした。光軸上に配設された反射板がその光軸と直交する方向に移動することによって、プロジェクタケース内に投写レンズを収納することができる。従って、プロジェクタの小型化が可能になる。
【００１３】
このプロジェクタにおいて、前記投写レンズ及び前記反射板のいずれか一方を駆動する駆動装置をさらに備えるようにしてもよい。
このプロジェクタによれば、駆動装置によって投写レンズ及び反射板のいずれか一方を移動させることができるため、簡便に投写レンズをプロジェクタケースの内外に移動させることができる。
【００１４】
このプロジェクタにおいて、前記光源装置は、赤、緑、青の各色の光を出射させる半導体素子からなるようにしてもよい。
このプロジェクタによれば、小型である半導体素子によって光源装置を構成することができるため、プロジェクタ全体を小型化することができる。
【００１５】
このプロジェクタにおいて、前記半導体素子が、発光ダイオードであってもよい。
このプロジェクタによれば、小型で発熱量の小さい発光ダイオードによって光源装置を構成することができるため、冷却ファン等も小さくすることができ、小型化することができる。
【００１６】
本発明のデジタルカメラは、撮像レンズと、前記撮像レンズを通して集光された光を画像信号に変換する撮像素子と、前記画像信号を記憶する記憶手段とを備えたデジタルカメラにおいて、上記のプロジェクタを搭載した。
【００１７】
本発明のデジタルカメラによれば、小型化が可能なプロジェクタをデジタルカメラに搭載するようにした。従って、小型のデジタルカメラに投写機能を付加することができる。
【発明を実施するための最良の形態】
【００１８】
（第１実施形態）
以下、本発明を具体化した第１実施形態を図１及び図２に従って説明する。図１は、本実施形態におけるプロジェクタ１を説明するための平面図である。
【００１９】
図１に示すように、プロジェクタ１は、直方体状のプロジェクタケース２を有している。プロジェクタケース２の左側には、入力画像信号ＩＳ（図２参照）に従ってカラー画像を表す画像光を生成する光学系３が設けられている。光学系３には、コ字状に配設され、
赤色（Ｒ）の光束、緑色（Ｇ）の光束及び青色（Ｂ）の光束をそれぞれ出射する光源装置４Ｒ，４Ｇ，４Ｂが備えられている。各光源装置４Ｒ，４Ｇ，４Ｂは、それぞれ複数（図１では、３つ）の半導体素子を構成する発光ダイオードＬＥＤからなるＬＥＤ光源である。なお、各光源装置４Ｒ，４Ｇ，４Ｂを構成する発光ダイオードＬＥＤは、結晶の種類及び添加物等が異なるように形成されており、それぞれ赤色光、緑色光及び青色光を発する。
【００２０】
また、各光源装置４Ｒ，４Ｇ，４Ｂから出射される各色の光束は、それぞれ対向する光学系を構成する各偏光変換装置５Ｒ，５Ｇ，５Ｂに入射される。各偏光変換装置５Ｒ，５Ｇ，５Ｂは、それぞれ対応する各光源装置４Ｒ，４Ｇ，４Ｂから出射された各色の光束を、略一方向の直線偏光に変換する。すなわち、各色の光束に含まれるＰ偏光光束及びＳ偏光光束のうち、一方の偏光光束（例えば、Ｐ偏光光束）を透過させ、他方の偏光光束（例えば、Ｓ偏光光束）を反射させる。各偏光変換装置５Ｒ，５Ｇ，５Ｂを透過したＰ偏光光束は、各偏光変換装置５Ｒ，５Ｇ，５Ｂとそれぞれ対向する各液晶パネル６Ｒ，６Ｇ，６Ｂに入射される。一方、反射されたＳ偏光光束は、図示しない反射ミラーによって更に反射され、Ｐ偏光光束に変換されて、上記のＰ偏光光束と同様に各液晶パネル６Ｒ，６Ｇ，６Ｂに入射される。
【００２１】
各液晶パネル６Ｒ，６Ｇ，６Ｂは、各偏光変換装置５Ｒ，５Ｇ，５Ｂから入射される偏光光束を入力画像信号ＩＳ（図２参照）に従って変調する。さらに、各液晶パネル６Ｒ，６Ｇ，６Ｂは、変調した偏光光束（変調光束）をクロスダイクロイックプリズム８に出射する。クロスダイクロイックプリズム８は、略直方体の形状であり、各液晶パネル６Ｒ，６Ｇ，６Ｂに囲まれるように配設され、３色の光を合成してカラー画像を形成する。従って、クロスダイクロイックプリズム８は、各液晶パネル６Ｒ，６Ｇ，６Ｂから入射される各色の変調光、すなわち各色成分の画像を表す色成分画像光を合成して、カラー画像を表す光（画像光ＩＬ）を、第１光軸Ｃ１に沿って右方に設けられた反射板としての全反射ミラー１０に入射させる。
【００２２】
クロスダイクロイックプリズム８の右方に設けられた全反射ミラー１０は、クロスダイクロイックプリズム８から入射される画像光ＩＬを、プロジェクタケース２の右側前側に設けられている投写レンズ２０に向かって反射させ、第２光軸Ｃ２に沿って投写レンズ２０に入射させる。このように全反射ミラー１０によって画像光ＩＬを所定の角度としての９０°反射させることによって、プロジェクタ１を第１光軸Ｃ１方向（Ｘ矢印方向）に小型化した上で、光路長を長く確保することができる。なお、本実施形態では、光学系３は、上記した光源装置４Ｒ，４Ｇ，４Ｂ、偏光変換装置５Ｒ，５Ｇ，５Ｂ、液晶パネル６Ｒ，６Ｇ，６Ｂ及びクロスダイクロイックプリズム８から構成されている。
【００２３】
そして、投写レンズ２０が、全反射ミラー１０から入射された画像光ＩＬの表す画像を図示しないスクリーン等に投写する。
また、全反射ミラー１０は、その一端が、プロジェクタケース２に固定された第２案内機構としての第２レールＲ２に係合している。一方、全反射ミラー１０の他端は、連結部材としてのヒンジＨを介して投写レンズ２０と連結されている。さらに、投写レンズ２０及びヒンジＨは、プロジェクタケース２に固定された第１案内機構としての４本の第１レールＲ１に摺動可能に支持されている。すなわち、第１レールＲ１は、投写レンズ２０の４つの角に係合するようにプロジェクタケース２に設けられ、投写レンズ２０を第２光軸Ｃ２上で往復動させるように、前後方向（Ｙ矢印方向）に延設形成されている。
【００２４】
また、投写レンズ２０は、駆動モータＭ１（図２参照）に接続され、駆動モータＭ１が第１レールＲ１に沿って投写レンズ２０をＹ矢印方向及び反Ｙ矢印方向に摺動させる。
投写レンズ２０がプロジェクタケース２の中にＹ矢印方向に後退するように摺動すると
、全反射ミラー１０は、ヒンジＨを介して第２レールＲ２に沿って左方に摺動する。さらに、投写レンズ２０が後退して全体がプロジェクタケース２内に収納されると、図１（ｂ）に示すように、全反射ミラー１０は、第２レールＲ２に沿って案内されＸ矢印方向（第１光軸Ｃ１方向）に平行になるように配置される。
【００２５】
これによって、本実施形態のプロジェクタ１は、非投写時に、図１（ｂ）に示すように、投写レンズ２０をプロジェクタケース２の中に収納する位置（収納位置）まで摺動させることができる。また、投写時には、図１（ａ）に示すように、投写レンズ２０をプロジェクタケース２の外部に突出させて投写可能な焦点距離に合わせた位置（投写位置）まで摺動させることができる。
【００２６】
従って、非投写時、すなわち持ち運び等の携帯時にプロジェクタ１全体を小型化することができる。また、投写レンズ２０と全反射ミラー１０とをヒンジＨによって連結して構成したため、より簡単に投写レンズ２０をプロジェクタケース２内に収納することができる。
【００２７】
次に、上記のように構成したプロジェクタ１の電気的構成について図２に従って説明する。
プロジェクタ１は、制御装置３０を備えている。制御装置３０は、ＣＰＵ等からなる制御部３１と、各種データや各種制御プログラムを格納するＲＯＭ３２と、ＤＲＡＭ及びＳＲＡＭ等からなり各種データを格納するＲＡＭ３３と、入力画像処理部３４とから構成されている。そして、制御装置３０では、これら制御部３１、ＲＯＭ３２、ＲＡＭ３３及び入力画像処理部３４が、図示しないバスを介して接続されている。
【００２８】
制御装置３０には、キー入力部３５が電気的に接続されている。キー入力部３５は、プロジェクタケース２の外側面に設けられ、起動スイッチ、停止スイッチ等の操作スイッチを有し、各スイッチの操作による操作信号ＭＳを制御装置３０に出力する。
【００２９】
また、プロジェクタ１には、図示しないプロジェクタケース２の外部に設けられたインターフェースを介してパーソナルコンピュータ等の外部入力装置４０が接続され、外部入力装置４０から制御装置３０に入力画像信号ＩＳが出力される。制御装置３０は、入力画像信号ＩＳが入力されると、入力画像処理部３４に入力画像信号ＩＳをアナログデジタル変換させ、ＲＧＢ信号の大きさや画像の伸縮等の補正処理を行わせて補正画像信号ＣＳを生成させる。
【００３０】
また、制御装置３０には、光学系制御部５０が接続されている。光学系制御部５０には、入力画像処理部３４で生成された補正画像信号ＣＳが入力される。また、光学系制御部５０には、光学系３が接続され、補正画像信号ＣＳを光学系３に出力する。光学系制御部５０は、補正画像信号ＣＳに応答して光学系３の光源装置４Ｒ，４Ｇ，４Ｂを制御し、各光源装置４Ｒ，４Ｇ，４Ｂの発光ダイオードＬＥＤを補正画像信号ＣＳに基づいて点灯及び消灯させる。また、光学系制御部５０は、補正画像信号ＣＳに応答して各液晶パネル６Ｒ，６Ｇ，６Ｂを制御し、各液晶パネル６Ｒ，６Ｇ，６Ｂに入射される各色の光を補正画像信号ＣＳに応じて変調させる。
【００３１】
そして、制御装置３０には、投写レンズ位置制御部５２が接続されている。投写レンズ位置制御部５２には、制御装置３０を介してキー入力部３５から操作信号ＭＳが入力される。投写レンズ位置制御部５２は、モータ駆動回路５３と接続され、入力された操作信号ＭＳをモータ駆動回路５３に出力する。モータ駆動回路５３は、入力された操作信号ＭＳに応答して、投写レンズ２０をプロジェクタケース２内外に摺動させる（図１参照）駆動モータＭ１を正転又は逆転させるようになっている。詳しくは、本実施形態では、プロジ
ェクタケース２の外側面に設けられた起動スイッチが押されてプロジェクタ１の電源がオンになると、駆動モータＭ１が正転して、投写レンズ２０がプロジェクタケース２の外部に突出し投写位置まで摺動する（図１（ａ）参照）。また、プロジェクタケース２の外側面に設けられた停止スイッチが押されてプロジェクタ１の電源がオフになると、駆動モータＭ１が逆転して、投写レンズ２０が、プロジェクタケース２内に後退し収納位置まで摺動する（図１（ｂ）参照）。
【００３２】
次に、上記のように構成したプロジェクタ１の作用を説明する。
プロジェクタケース２の外側面に設けられた起動スイッチを押してプロジェクタ１の電源をオンにすると、制御装置３０は投写レンズ位置制御部５２に操作信号ＭＳを出力し、モータ駆動回路５３を介して駆動モータＭ１を正転させる。駆動モータＭ１を正転させると、投写レンズ２０が図１（ａ）に示す投写位置まで摺動してプロジェクタケース２の外部に突出される。
【００３３】
次に、パーソナルコンピュータ等の外部入力装置４０からスクリーン等に投写したい画像等の入力画像信号ＩＳが、図示しないプロジェクタケース２の外部に設けられたインターフェースを介してプロジェクタ１に入力されると、制御装置３０の入力画像処理部３４で補正画像信号ＣＳが生成される。そして、制御装置３０は、生成された補正画像信号ＣＳを、光学系制御部５０に出力する。光学系制御部５０は、補正画像信号ＣＳに応答して光学系３の光源装置４Ｒ，４Ｇ，４Ｂを制御し、各光源装置４Ｒ，４Ｇ，４Ｂの発光ダイオードＬＥＤを補正画像信号ＣＳに基づいて点灯及び消灯させる。各光源装置４Ｒ，４Ｇ，４Ｂから出射された各色の光束は、偏光変換装置５Ｒ，５Ｇ，５Ｂによって略一方向の偏光光束に変換され、各液晶パネル６Ｒ，６Ｇ，６Ｂに入射される。
【００３４】
さらに、光学系制御部５０は、補正画像信号ＣＳに応答して液晶パネル６Ｒ，６Ｇ，６Ｂを制御し、各液晶パネル６Ｒ，６Ｇ，６Ｂに入射される各色の偏光光束を補正画像信号ＣＳに応じて変調させる。そして、変調された各色の変調光は、クロスダイクロイックプリズム８に出射され、クロスダイクロイックプリズム８で合成される。各色の変調光が合成された画像光ＩＬは、全反射ミラー１０を介して投写レンズ２０に出射され、投写レンズ２０を通してスクリーン等に拡大投写される。なお、プロジェクタケース２の外側面に設けられた停止スイッチを押してプロジェクタ１の電源をオフにすると、制御装置３０は投写レンズ位置制御部５２に操作信号ＭＳを出力し、モータ駆動回路５３を介して駆動モータＭ１を逆転させる。駆動モータＭ１を逆転させると、投写レンズ２０が図１（ｂ）に示す収納位置まで摺動してプロジェクタケース２の内部に収納される。
【００３５】
次に、本実施形態の効果を以下に記載する。
（１）本実施形態によれば、非投写時に、図１（ｂ）に示す投写レンズ２０をプロジェクタケース２の中に収納する位置（収納位置）まで摺動させるようにした。また、投写時には、図１（ａ）に示す投写レンズ２０をプロジェクタケース２の外部に突出させて投写可能な焦点距離に合わせた位置（投写位置）まで摺動させるようにした。従って、非投写時、すなわち持ち運び等の携帯時に、投写レンズ２０をプロジェクタケース２内に収納することができるため、プロジェクタ１全体を小型化することができる。
【００３６】
（２）本実施形態によれば、全反射ミラー１０によって、クロスダイクロイックプリズム８から出射される画像光ＩＬを直角に反射させて、プロジェクタケース２の前側右側に設けられた投写レンズ２０に入射させるようにした。これによって、プロジェクタ１を第１光軸Ｃ１方向に小型化した上で、さらに光路長を長く確保することができる。従って、投写レンズ２０を投写位置まで摺動させた際に、投写が可能な焦点距離にあわせることができる。
【００３７】
（３）本実施形態によれば、投写レンズ２０と全反射ミラー１０とを、ヒンジＨによって連結した。従って、投写レンズ２０と全反射ミラー１０とが連動して移動するため、簡便に投写レンズ２０をプロジェクタケース２内に収納することができる。
【００３８】
（４）本実施形態によれば、投写レンズ２０を第１レールＲ１に沿って摺動可能に支持した。従って、投写レンズ２０は第１レールＲ１に沿って移動されるため、左右方向への位置ずれを好適に抑制することができる。また、全反射ミラー１０は、投写レンズ２０の移動と連動して第２レールＲ２を沿って移動させるようにした。従って、投写レンズ２０を収納位置に移動させる際に収納空間ができる。その結果、投写レンズ２０をその収納空間に移動させることができ、プロジェクタケース２内に収納することができる。
【００３９】
（４）本実施形態によれば、投写レンズ２０に駆動モータＭ１が接続され、駆動モータＭ１によって第１レールＲ１に沿って投写レンズ２０がＹ矢印方向に摺動されるようにした。従って、駆動モータＭ１の駆動力によって容易に投写レンズ２０を前後方向に往復動させることができる。
【００４０】
（第２実施形態）
次に、本発明を具体化した第２実施形態を図３〜図５に従って説明する。図３は、本実施形態におけるデジタルカメラ６０を説明するための斜視図である。本実施形態のデジタルカメラ６０は、先の第１実施形態の投写機能を搭載している。なお、第１実施形態で説明した構成部材と同等の部材には、同じ符号を付して詳細な説明を省略する。
【００４１】
本実施形態のデジタルカメラ６０は、図３に示すように、ハウジング６１を備えており、そのハウジング６１の上面には、所望の風景等を撮影するためのシャッタースイッチ６２が設けられている。また、シャッタースイッチ６２の右方には、所望の風景等を撮影することができる撮影モードと撮影した画像を鑑賞することができる再生モードとを切り替えることができるモード切替スイッチ６３が設けられている。
【００４２】
また、ハウジング６１の前面には、景色等の所望の画像を撮影するための撮像レンズ８０と、撮影した画像を外部に投写するための投写レンズ２０とが設けられている。図４に示すように、撮像レンズ８０及び投写レンズ２０は、それぞれ撮像ユニット７０及び投写ユニット７１の一部として備えられている。投写ユニット７１は、図１に示すプロジェクタ１と略同等の部材によって構成されているため、同等の機能を有し、投写レンズ２０を通して所望の画像を外部のスクリーン等に投写することができる。
【００４３】
一方、撮像ユニット７０は、公知の撮像レンズ８０と、撮像素子としてのＣＣＤ８５とから構成されている。撮像レンズ８０は、沈胴式のレンズであり、モータＭ２（図５参照）と電気的に接続されており、モータＭ２の正逆転によって、非撮影モード時にはハウジング６１内に収納され、撮影モード時にはハウジング６１の外部に突出される。また、撮像レンズ８０は、焦点距離可変のズームレンズであるレンズ８１、開口径が変化可能でレンズ８１を透過して集光される光の光量を調節可能な絞り８２及びシャッター８３を備えている。なお、レンズ８１は、固定レンズ、変倍レンズ及びフォーカス調整用レンズ等の複数枚のレンズ群で構成されている。
【００４４】
撮像レンズ８０の後方には、ＣＣＤ８５が設けられている。ＣＣＤ８５は、撮像レンズ８０を透過して集光される光をデジタル化した電気信号に光電変換する。これによって、撮像レンズ８０を通して撮影された風景等をデジタル化した画像信号に変換することができる。
【００４５】
次に、上記のように構成したデジタルカメラ６０の電気的構成について図５に従って説
明する。
デジタルカメラ６０は、制御装置９０を備えている。制御装置９０は、ＣＰＵ等からなる制御部９１と、各種データや各種制御プログラムを格納するＲＯＭ９２と、ＤＲＡＭ及びＳＲＡＭ等からなり各種データを格納するＲＡＭ９３と、モード信号生成部９４とから構成されている。そして、制御装置９０では、これら制御部９１、ＲＯＭ９２、ＲＡＭ９３及びモード信号生成部９４が、図示しないバスを介して接続されている。
【００４６】
制御装置９０には、キー入力部９５が電気的に接続されている。キー入力部９５は、ハウジング６１の上面（図３参照）や背面（図示しない）に設けられ、電源スイッチ、モード切替スイッチ６３、シャッタースイッチ６２及び投写スイッチ等の操作スイッチを有し、各スイッチの操作による操作信号ＭＳを制御装置９０に出力する。制御装置９０は、キー入力部９５から各種操作信号ＭＳが入力されると、モード信号生成部９４に各種モード信号を生成させて、その各種モード信号に応じてデジタルカメラ６０の作動を制御する。
【００４７】
詳しくは、モード切替スイッチ６３を操作して撮影モードに切り替えられると、モード信号生成部９４によって撮影モード信号ＴＭＳが生成されて、制御装置９０は、その撮影モード信号ＴＭＳを撮像レンズ位置制御部９６に出力する。撮像レンズ位置制御部９６は、モータ駆動回路９７と接続され、制御装置９０から入力された撮影モード信号ＴＭＳをモータ駆動回路９７に出力する。モータ駆動回路９７は、入力された撮影モード信号ＴＭＳに応答して、撮像レンズ８０をハウジング６１内外に移動させるモータＭ２を正転させて、撮像レンズ８０をハウジング６１の外部に突出させて撮影可能状態にする。
【００４８】
また、制御装置９０にはＣＣＤ制御部９８が接続され、ＣＣＤ制御部９８にはＣＣＤ８５が接続されている。制御装置９０は、キー入力部９５のシャッタースイッチ６２が押されると、ＣＣＤ制御部９８に、撮像レンズ８０を透過して集光された光をＣＣＤ８５でデジタル化した電気信号に変換させる。さらに、ＣＣＤ８５は、デジタル化した電気信号を撮像画像処理部９９に出力し、撮像画像処理部９９がデジタル化した電気信号を画像データＩＤに変換する。そして、その画像データＩＤが記憶手段としての内蔵のフラッシュメモリＦＭに出力されて記憶される。
【００４９】
一方、モード切替スイッチ６３を操作して再生モードに切り替えられると、モード信号生成部９４によって再生モード信号ＲＭＳが生成されて、制御装置９０は、その再生モード信号ＲＭＳをフラッシュメモリＦＭに出力する。フラッシュメモリＦＭは、再生モード信号ＲＭＳが入力されると、記憶している画像データＩＤをハウジング６１の背面に設けられた液晶モニタＬＣＤに出力する。これによって、操作者は液晶モニタＬＣＤを通して、撮影した画像を確認することができる。なお、制御装置９０は、再生モードに切り替えられると、再生モード信号ＲＭＳを撮像レンズ位置制御部９６に出力させて、モータ駆動回路９７によってモータＭ２を逆転させ、撮像レンズ８０をハウジング６１内に収納させる。
【００５０】
さらに、制御装置９０は、再生モード時にキー入力部９５の投写スイッチが押されると、モード信号生成部９４によって投写モード信号ＰＭＳが生成されて、その投写モード信号ＰＭＳを投写レンズ位置制御部５２及びフラッシュメモリＦＭに出力する。投写レンズ位置制御部５２は、モータ駆動回路５３と接続され、制御装置９０から入力された投写モード信号ＰＭＳをモータ駆動回路５３に出力する。モータ駆動回路５３は、入力された投写モード信号ＰＭＳに応答して、投写レンズ２０をハウジング６１内外に移動させる駆動モータＭ１を正転させて、投写レンズ２０を投写位置まで摺動させ、ハウジング６１の外部に突出させる。
【００５１】
また、フラッシュメモリＦＭは、投写モード信号ＰＭＳが入力されると、記憶している
画像データＩＤを、液晶モニタＬＣＤに加えて、さらに光学系制御部５０に出力する。光学系制御部５０には、光学系３が接続され、液晶モニタＬＣＤに映し出されている画像データＩＤを光学系３に出力する。光学系制御部５０は、画像データＩＤに応答して光学系３の光源装置４Ｒ，４Ｇ，４Ｂを制御し、各光源装置４Ｒ，４Ｇ，４Ｂの発光ダイオードＬＥＤを画像データＩＤに基づいて点灯及び消灯させる。また、光学系制御部５０は、画像データＩＤに応答して液晶パネル６Ｒ，６Ｇ，６Ｂを制御し、各液晶パネル６Ｒ，６Ｇ，６Ｂに入射される各色の光を画像データＩＤに応じて変調させる。
【００５２】
これによって、外部に設けられたスクリーン等に撮影した画像データＩＤを投写することができるため、撮影した画像を拡大して見ることができ、複数人で同じ画像を同時に見ることができる。さらに、液晶モニタＬＣＤに映し出されている画像データＩＤを切り替えることによって、投写レンズ２０から投写される画像も容易に切り替えることができる。
【００５３】
なお、再び投写スイッチが押されて投写モードが解除されると、制御装置９０は、投写レンズ位置制御部５２を介して駆動モータＭ１を逆転させて、投写レンズ２０を収納位置まで摺動させ、ハウジング６１内に収納させる。
【００５４】
従って、第２実施形態によれば、先の第１実施形態の上記（１）〜（４）の効果に加え、新たに以下のような効果を得ることができる。
（５）本実施形態によれば、デジタルカメラ６０に小型化が可能である投写ユニット７１を備えるようにした。従って、投写ユニット７１を備えたデジタルカメラ６０を小型化することができる。また、このデジタルカメラ６０では、撮像レンズ８０を通して撮影した風景等の画像データＩＤを、投写レンズ２０を通して外部のスクリーン等に投写することができる。そのため、撮影した画像データＩＤを拡大して鑑賞することができ、複数人で同じ画像を同時に鑑賞することができる。
【００５５】
（６）本実施形態によれば、液晶モニタＬＣＤに映し出されている画像データＩＤを、投写レンズ２０を通して外部に投写するようにした。従って、液晶モニタＬＣＤと外部のスクリーン等の２つの表示装置によって同時に画像を鑑賞することができる。また、液晶モニタＬＣＤに映し出されている画像データＩＤを切り替えることによって、投写レンズ２０から投写される画像も容易に切り替えることができる。そのため、液晶モニタＬＣＤで画像データＩＤを確認しながら外部に画像を投写することができる。
【００５６】
（７）本実施形態によれば、撮像レンズ８０と投写レンズ２０とをそれぞれ設けるようにした。従って、撮像レンズ８０と投写レンズ２０の焦点距離を個々のレンズで合わせることができるため、レンズを共用する場合に比べて焦点距離を合わせやすい。また、モードの設定を変更することによって、撮像レンズ８０と投写レンズ２０を同時に使用することもできる。
【００５７】
なお、上記各実施形態は、以下の態様に変更してもよい。
・上記各実施形態では、投写レンズ２０を摺動させるための駆動モータＭ１を投写レンズ２０に接続したが、駆動モータＭ１を省略して手動で投写レンズ２０を摺動させるようにしてもよい。また、駆動モータＭ１を全反射ミラー１０に接続するようにしてもよい。あるいは、駆動モータＭ１を、全反射ミラー１０と投写レンズ２０とに接続するようにしてもよい。
【００５８】
・上記各実施形態では、全反射ミラー１０をＸ矢印方向に平行になるように案内するために第２レールＲ２を設けたが、第２レールＲ２を省略する構成にしてもよい。
・上記各実施形態では、投写レンズ２０を収納位置に摺動させた際に、全反射ミラー１
０を第１光軸Ｃ１方向（Ｘ矢印方向）と平行になるように移動させた。これに限らず、例えば第２光軸Ｃ２方向（Ｙ矢印方向）と平行になるように移動させるようにしてもよい。
【００５９】
・上記各実施形態では、投写レンズ２０を往復動させるための第１案内機構として第１レールＲ１を設けたが、第１レールＲ１を省略する構成にしてもよい。
・上記各実施形態では、投写レンズ２０と全反射ミラー１０をヒンジＨによって連結させて、連動して移動するようにしたが、ヒンジＨを省略する構成にしてもよい。
【００６０】
・上記各実施形態では、反射板としての全反射ミラー１０によって第１光軸Ｃ１を９０°反射させたが、これに限らず、反射板によって第１光軸Ｃ１を鈍角又は鋭角に反射させるようにしてもよい。
【００６１】
・上記各実施形態では、光源装置４Ｒ，４Ｇ，４Ｂを複数の発光ダイオードＬＥＤで構成するようにしたが、充分な照度が得られるのであれば１つの発光ダイオードＬＥＤで構成するようにしてもよい。
【００６２】
・上記各実施形態では、光源装置４Ｒ，４Ｇ，４ＢをＬＥＤ光源装置で構成するようにしたが、これに限らず、例えば有機ＥＬ光源、高圧水銀ランプ又はハロゲンランプ等に変更してもよい。
【００６３】
・上記各実施形態では、赤、緑、青色の各色の光束を出射する光源装置４Ｒ，４Ｇ，４Ｂに具体化したが、これに限らず、例えば白色の光束を出射する光源装置に変更するようにしてもよい。この場合、カラーフィルタ等を介してカラー画像光を合成するようにしてもよい。あるいは、赤、緑、青、白色の各色を出射する光源装置に変更するようにしてもよい。
【００６４】
・上記各実施形態では、各光源装置４Ｒ，４Ｇ，４Ｂの発光ダイオードＬＥＤを独立に点灯制御し、その光源装置４Ｒ，４Ｇ，４Ｂからの光束が対応する液晶パネル６Ｒ，６Ｇ，６Ｂに出射されて、クロスダイクロイックプリズム８でカラー画像が合成される、いわゆる３板方式のプロジェクタとして具体化した。これに限らず、例えば赤色、緑色及び青色の３種のＬＥＤを順番に点灯させて、１つのライトバルブに対し順番に照射してカラー画像を表示する、いわゆる単板式のプロジェクタとして構成するようにしてもよい。
【００６５】
・上記第１実施形態では、起動スイッチを押してプロジェクタ１の電源がオンになると、投写レンズ２０が投写位置まで摺動され、停止スイッチを押してプロジェクタ１の電源がオフになると、投写レンズ２０が収納位置まで摺動されるように構成した。これに限らず、例えば投写レンズ駆動スイッチを別途設けてもよい。すなわち、投写レンズ駆動スイッチを押すことによって、投写レンズ２０を投写位置又は収納位置に駆動することができる。これによって、プロジェクタ１の電源がオンのときでも投写レンズ２０をプロジェクタケース２内に収納することができる。
【００６６】
・上記第２実施形態における撮像レンズ８０及び投写レンズ２０の位置については特に制限はない。また、撮像レンズ８０と投写レンズ２０とを共通のレンズで構成するようにしてもよい。
【００６７】
・上記第２実施形態において、モード切替スイッチ６３によって撮影モード又は再生モードに切り替えることができるように構成した。これに限らず、例えば撮像レンズ８０と投写レンズ２０を同時に使用することのできる投写撮影モードに切り替えることができるようにしてもよい。これによって、フラッシュメモリＦＭに記憶している画像データＩＤを投写している状態で被写体像を撮影することができるため、記憶している画像データＩ
Ｄと被写体像とを重ねて撮影することができ、エンターテイメント性を向上させることができる。
【００６８】
・上記第２実施形態では、撮像素子としてＣＣＤ８５を採用したが、これに限らず、例えばＣＭＯＳ固体撮像素子等に変更してもよい。
・上記第２実施形態では、レンズ８１を焦点距離可変のズームレンズとしたが、これに限らず、例えば単焦点レンズに変更してもよい。
【図面の簡単な説明】
【００６９】
【図１】（ａ）、（ｂ）は、それぞれ第１実施形態におけるプロジェクタを説明するための平面図。
【図２】同じく、プロジェクタの電気的構成を説明するためのブロック図。
【図３】第２実施形態におけるデジタルカメラを説明するための斜視図。
【図４】同じく、デジタルカメラを説明するための平面図。
【図５】同じく、デジタルカメラの電気的構成を説明するためのブロック図。
【符号の説明】
【００７０】
Ｃ１…第１光軸、Ｃ２…第２光軸、ＦＭ…記憶手段としてのフラッシュメモリ、Ｈ…連結部材としてのヒンジ、ＬＥＤ…半導体素子を構成する発光ダイオード、Ｍ１…駆動装置としての駆動モータ、Ｒ１…第１案内機構としての第１レール、Ｒ２…第２案内機構としての第２レール、１…プロジェクタ、２…プロジェクタケース、３…光学系、４Ｒ，４Ｇ，４Ｂ…光源装置、５Ｒ，５Ｇ，５Ｂ…光学系を構成する偏光変換装置、６Ｒ，６Ｇ，６Ｂ…光学系を構成する液晶パネル、８…光学系を構成するクロスダイクロイックプリズム、１０…反射板としての全反射ミラー、２０…投写レンズ、６０…デジタルカメラ、８０…撮像レンズ、８５…撮像素子としてのＣＣＤ。
【図１】
2007102095.tif 000003
【図２】
2007102095.tif 000004
【図３】
2007102095.tif 000005
【図４】
2007102095.tif 000006
【図５】
2007102095.tif 000007